(57)【要約】【課題】携帯電話に内蔵された電池を充電する充電器に、音楽、映像情報等の記録機能を備え、携帯電話に保存されている音楽データ、画像データの入れ替えを容易にし、ユーザの利便性を向上する。【解決手段】外部オーディオ機器３０と充電器２０をケーブルにて接続し、ユーザが充電器２０の操作パネル２７より所定の音楽データを記録する処理を行い、外部オーディオ機器３０を操作し、充電器２０の入力部２１に出力することによりデータ記録処理を開始し、エンコーダ２２で圧縮して記憶装置２５に記録する。次に、ユーザが、充電器２０の表示部２６を参照しながら操作パネル２７より所望の音楽データを選択し、携帯電話１０に出力し、記憶装置１４に記録する。【選択図】        図２
2004336421.tif 000002
【特許請求の範囲】
【請求項１】
携帯電話を充電する充電機能と、外部機器から情報を取り込み記録する情報記録機能と、記録した前記情報を前記携帯電話に出力する機能とを備えたことを特徴とする情報記録機能付き携帯電話用充電装置。
【請求項２】
前記情報は音楽や画像等の情報であり、前記情報記録機能は前記情報を圧縮して記録する機能を有することを特徴とする請求項１記載の情報記録機能付き携帯電話用充電装置。
【請求項３】
表示部及び操作パネルを有し、該操作パネルにより選択された情報を前記携帯電話に出力することを特徴とする請求項１または２記載の情報記録機能付き携帯電話用充電装置。
【発明の詳細な説明】
【０００１】
【発明の属する技術分野】
本発明は、情報記録機能付き携帯電話用充電装置に関し、さらに詳しくは、携帯電話を充電する機能に加えて、音声情報や画像情報を保存する機能を有する情報記録機能付き携帯電話用充電装置に関する。
【０００２】
【従来の技術】
一般に、携帯電話等の電子機器に内蔵する電池の充電を行う充電器は、充電機能を有するのみであるが、近年電池の充電を行う充電機能に加えて、携帯電話等の電子機器をより有効に活用するための機能を付加することが提案されている。特許文献１に開示されたデータ保存機能を備えた携帯電話用の充電器は、携帯電話のメモリに保存された電話帳等のデータを携帯電話よりダウンロードして保存し、保存したデータを携帯電話にアップロードできる機能を備えたことを特徴とし、携帯電話の充電が可能であるとともに、電話帳等のデータを手軽にバックアップし復元してデータの損失を防止することができるものである。
【０００３】
また、特許文献２に開示された携帯電話用接続装置は、携帯電話を充電する充電回路と携帯電話に記録された信号を再生可能なスピーカとを備え、携帯電話に記録された情報を再生可能であることを特徴とし、携帯電話に内蔵された電源を充電するとともに、携帯電話に記録された音楽等の情報を再生して携帯電話をより有効に使用することができるものである。
【０００４】
【特許文献１】
特開２００２−２３７８７６号公報
【特許文献２】
特開２００２−２５２５６６号公報
【０００５】
【発明が解決しようとする課題】
特許文献１に開示されている「データ保存機能を備えた携帯電話用の充電器」は、携帯電話に保管しているデータをバックアップしているだけであり、特許文献２に開示されている「携帯電話用接続装置」は、携帯電話に記憶している音楽データを再生するだけで、いずれの先行技術においてもデータを携帯電話に常時保持していて、音楽データや画像データのようにデータ量の大きいデータを記録するには限度があるといった問題があった。
【０００６】
本発明は、前記先行技術が有する問題点に鑑みなされたもので、携帯電話に内蔵された電池を充電する際、ユーザがあまり意識することなく接続する充電器に音楽、映像等の記録機能を備えることで、携帯電話に保存されている音楽データ、画像データの入れ替えをより容易なものとし、ユーザの利便性を向上させることを目的とする。また、音楽データ、画像データのエンコード回路を携帯電話に接続される充電器に備えることで、携帯電話の回路構成を簡単にすることを目的とする。
【０００７】
【課題を解決するための手段】
本発明は上述の課題を解決するためになされたもので、第１の技術手段は、携帯電話を充電する充電機能と、外部機器から情報を取り込み記録する情報記録機能と、記録した前記情報を前記携帯電話に出力する機能とを備えた情報記録機能付き携帯電話用充電装置であることを特徴とする。
【０００８】
第２の技術手段は、第１の技術手段の情報記録機能付き携帯電話用充電装置において、前記情報は音楽や画像等の情報であり、前記情報記録機能は前記情報を圧縮して記録する機能を有することを特徴とする。
【０００９】
第３の技術手段は、第１または第２の技術手段の情報記録機能付き携帯電話用充電装置において、表示部及び操作パネルを有し、該操作パネルにより選択された情報を前記携帯電話に出力することを特徴とする。
【００１０】
【発明の実施の形態】
以下、本発明の実施の形態を図１〜図４に示す実施例に基づいて説明する。
図１は、本発明の情報記録機能付き携帯電話用充電装置に携帯電話を載置して接続し、携帯電話に内蔵されている電池に充電している様子を示す外観図であり、図２は、情報記録機能付き携帯電話用充電装置の回路構成を示すブロック図である。
図１において、１０は携帯電話、２０は情報記録機能付き携帯電話用充電装置（以下、充電器という）、３０は充電器２０に音声情報や画像情報を送信する機器であるが、本実施例においては音楽データを供給する外部オーディオ機器として説明する。
【００１１】
図２に示すブロック図において、充電器２０は商用電源により電力が供給され、音楽データを外部オーディオ機器３０より入力する入力部２１と、入力部２１からのデータを圧縮するエンコーダ２２と、携帯電話１０に電力を供給する充電電力供給部２８と、携帯電話１０との間でデータを送受信する入出力部２４と、音楽データを保存する記憶装置２５と、ユーザインタフェースとなる表示部２６と、操作パネル２７と、それらすべてを制御する制御部２３等から構成される。
【００１２】
携帯電話１０は、充電電力供給部２８より電力の供給を受けて、図示しないバッテリを充電する充電回路１６と、充電器２０とのデータの授受を行う入出力部１１と、音楽データを記録する記憶装置１４と、記憶装置１４に記憶している音楽データを再生する音楽再生部１５と、基地局と通信する無線部１３等から構成される。
【００１３】
充電器２０と携帯電話１０とは、充電器２０の入出力部２４と携帯電話１０の入出力部２４、及び充電器２０の充電電力供給部２８と携帯電話１０の充電回路１６とを一度に接続する一体型のコネクタ４０にて充電時に接続され、音楽データの授受とともに携帯電話１０の電源に対する充電電力の供給が行われる。
コネクタ４０は充電器２０の上面に設けられており、携帯電話１０をコネクタ４０の上に載置するだけで、コネクタ４０と携帯電話１０に設けられているコネクタが接続され充電が行われる。
【００１４】
図３は、音楽データを外部オーディオ機器から充電器の記憶装置に記録する手順を示すフローチャートである。
外部オーディオ機器３０と充電器２０をケーブルにて接続し、ユーザが充電器２０の表示部２６を参照しながら操作パネル２７より所定の音楽データを記録する処理を行い、外部オーディオ機器３０を操作し、音楽データを充電器２０の入力部２１に出力することによりデータ記録処理を開始する。
【００１５】
（ステップ１）：充電器２０の制御部２３は、入力部２１の入力を監視し、データの入力があればステップ２へ移行する。
（ステップ２）：外部オーディオ機器３０より音楽データが入力されると、エンコーダ２２にてエンコードし、記憶装置２５の所定エリアに記録する。
（ステップ３）：充電器２０の制御部２３は、入力部２１の入力を監視し、データのエンドを確認するとステップ４へ移行する。
（ステップ４）：音楽データの記録を終了する。
【００１６】
図４は、充電器に記録した音楽データを携帯電話に出力する手順を示すフローチャートである。
ユーザが、充電器２０の表示部２６を参照しながら操作パネル２７より所望の音楽データを選択し、携帯電話１０に出力する処理を行うことにより、音楽データ出力処理を開始する。
【００１７】
（ステップ１１）：充電器２０の制御部２３は、入出力部２４を監視し、携帯電話１０が所定の位置に載置されたことを検出するとステップ１２に移行する。
（ステップ１２）：所定のプロトコルにしたがって携帯電話１０に音楽データを送信する旨の信号を入出力部２４よりコネクタ４０を介して送信し、携帯電話１０より受信準備完了の信号を受け取ると、ユーザの選択したデータを記憶装置２５から入出力部２４、コネクタ４０を介して出力する。
（ステップ１３）：ユーザ操作によるデータ送信の中断を、操作パネル２７を監視することで検出する。
【００１８】
（ステップ１４）：データ送信中の充電中止等による中断を、入出力部２４を監視することにより検出する。
（ステップ１５）：データ出力の終了を判定する。
（ステップ１６）：データ送信の中断時にどこまでデータを送信したかを記録部の所定のメモリに記録することにより、ユーザによるデータ送信再開や再び携帯電話１０が充電器２０に載置されたとき、引き続き送信を開始できるように中断処理を行う。
（ステップ１７）：データの送信を終了する。
【００１９】
音楽データの記録は、充電器２０単体で行うことができるが、携帯電話１０との接続時には、外部オーディオ機器３０から入力される音楽データをもとに携帯電話１０を介してデータベースにアクセスし、曲名、歌手名等の関連データを取得し、圧縮した音楽データに付与する。これにより、携帯電話の操作キーを用いた曲名、歌手名の入力の手間が省略できる。
【００２０】
また、音楽データの携帯電話への転送はインターフェイスにより選択されたデータが充電時に同時に行われる。
充電器２０より送られた音楽データは、携帯電話１０の記憶装置１４に送られ、音楽再生部１５により再生される。
【００２１】
以上の説明は、充電器２０に音声情報や画像情報を送信する機器としては、音楽データを供給する外部オーディオ機器３０として説明したが、インターネット等のネットワークを介した情報源とすることもでき、また充電器２０に接続される機器は、ＰＤＡ（Ｐｅｒｓｏｎａｌ  Ｄｉｇｉｔａｌ  Ａｓｓｉｓｔａｎｔｓ）等の携帯機器とすることもできる。
【００２２】
【発明の効果】
以上の説明から明らかなように、本発明によれば次のような効果を奏する。
（１）充電器が携帯電話に内蔵された電源を充電する充電機能と、外部機器から音声、画像等の情報を取り込み記録する情報記録機能を有するので、充電中の時間を利用して必要な情報を記録させ、充電期間を有効利用することができる。
（２）充電器がエンコーダを備え、情報を圧縮して保存するので、携帯電話にエンコーダが不要となり、携帯電話の回路構成が簡単になる。
（３）携帯電話に対する音楽データ、画像データの入れ替えが、充電器内の記憶装置とのやり取りにより行われるため、操作が容易になる。
（４）外部機器から取り込んだ情報を充電器内に保存し、保存した情報を携帯電話に出力するため、携帯電話に備えるメモリの容量が少なくてすむ。
（５）データが音楽データである場合、充電器の操作パネルより所望の音楽データを選択し携帯電話に出力するようにすれば、携帯電話の操作キーを用いた曲名、歌手名の入力の手間が省略できる。
【図面の簡単な説明】
【図１】本発明の情報記録機能付き携帯電話用充電装置に携帯電話機を載置して充電している様子を示す外観図である。
【図２】情報記録機能付き携帯電話用充電装置の回路構成を示すブロック図である。
【図３】音楽データを外部オーディオ機器から充電器の記憶装置に記録する手順を示すフローチャートである。
【図４】充電器に記録した音楽データを携帯電話に出力する手順を示すフローチャートである。
【符号の説明】
１０…携帯電話、１１…入出力部、１２…制御部、１３…無線部、１４…記憶装置、１５…音楽再生部、１６…充電回路、２０…充電器、２１…入力部、２２…エンコーダ、２３…制御部、２４…入出力部、２５…記憶装置、２６…表示部、２７…操作パネル、２８…充電電力供給部、３０…外部オーディオ機器、４０…コネクタ。
【図１】
2004336421.tif 000003
【図２】
2004336421.tif 000004
【図３】
2004336421.tif 000005
【図４】
2004336421.tif 000006